(57)【要約】 【目的】  一戸建て住宅又はマンションの水道管の洗浄に極めた好適な水道管洗浄方法及びその装置の提供【構成】  給水口１３を有した水タンク１とポンプ１０とコンプレッサー２と水タンクよりポンプの作動で供給される水とコンプレッサーより供給される空気とを混合して渦巻状気泡水を得ることができると共に弁体３を介して開閉する気泡水吐出口４を有した混合機５とを具備し、更に混合機とコンプレッサーとの間にコンプレッサーより供給される空気が混合機に供給される電磁弁体１４を介在すると共に該電磁弁体には所望時間内に所望時間のエアー注入及びエアー停止が断続して行われるようにした作動時間を設定する作動時間ハンドル体１５とエアー注入時間作動ハンドル体１６とエアー停止時間作動ハンドル体１７を設けたことを特徴としている。【選択図】                  図７
2006015285.tif 000002
【特許請求の範囲】
【請求項１】
給水口１３を有した水タンク１とコンプレッサー２と水タンク１よりポンプ１０を介して供給される水とコンプレッサー２より供給される空気とを混合して渦巻状気泡水を得ることができる混合機５に開閉弁３を介して開閉する気泡水吐出口４を設けた洗浄機体１９を具備し、次にメーター器１１と連結した上水管２０の止水栓７を閉じ、数個の蛇口８，８，・・・と連結した上水配管６よりメーター器１１を外すと共に該メーター器１１と給水口１３とを給水ホース１８で連結し、次に混合機５で形成した渦巻状気泡水の気泡水吐出口４と数個の蛇口８，８，・・・と連結した上水配管６とをホース９て連結し、次に止水栓７を開き、水タンク１に給水して水タンク１を満水とし、ポンプ１０とコンプレッサー２とを作動して水タンク１よりポンプ１０を介して供給される水とコンプレッサー２より供給される空気とを混合機５を介して形成された渦巻状気泡水を上水配管６に供給すると共に該渦巻状気泡水は電磁弁１４を介して供給・停止を設定した時間帯で繰り返し、更に上水配管６に取付けた数個の蛇口８，８，・・・は順次開いて汚損水の排出させ、次に止水栓７を閉じ、給水ホース１８とホース９を外し、メーター器１１と上水配管６とを連結したことを特徴とする水道管洗浄方法
【請求項２】
給水口１３を有した水タンク１とポンプ１０とコンプレッサー２と水タンク１よりポンプ１０の作動で供給される水とコンプレッサー２より供給される空気とを混合して渦巻状気泡水を得ることができると共に弁体３を介して開閉する気泡水吐出口４を有した混合機５とを具備し、更に混合機５とコンプレッサー２との間にコンプレッサー２より供給される空気が混合機５に供給される電磁弁体１４を介在すると共に該電磁弁体１４には所望時間内に所望時間のエアー注入及びエアー停止が断続して行われるようにした作動時間を設定する作動時間ハンドル体１５とエアー注入時間作動ハンドル体１６とエアー停止時間作動ハンドル体１７を設けて洗浄機体１９を形成し、又更に給水口１３とメーター器１１とを連結する給水ホース１８及び気泡水吐出口４と上水配管６とを連結するホース９を具備したことを特徴とする水道管洗浄装置
【発明の詳細な説明】
【技術分野】
【０００１】
この発明は、一戸建て住宅又は集合住宅或いはマンションの水道管の洗浄に極めた好適な水道管洗浄方法及びその装置に関するものである。
【背景技術】
【０００２】
従来、一戸建て住宅又は集合住宅或いはマンションの水道管の洗浄を行うための水道管洗浄方法及び水道管の洗浄を行うための水道管洗浄装置に関しては多種多用に亘り知られている。
【０００３】
ところが従来の一戸建て住宅又は集合住宅或いはマンションの水道管の洗浄を行うための水道管洗浄方法及び水道管の洗浄を行うための水道管洗浄装置に関しては薬品等を使用するために非衛生的であると共に洗浄方法が面倒で簡便に行うことができない等の欠点があり、又水道管洗浄装置では装置が複雑で安価に提供できない等の欠点があった。
【特許文献１】特許第３４６５８２３号公報
【発明の開示】
【発明が解決しようとする課題】
【０００４】
この発明は上記の問題点を解決したもので、極めて簡単な手段で一戸建て住宅又は集合住宅或いはマンションの水道管の洗浄を行うための衛生上支障を来すようなことがなく極めて好適な水道管洗浄方法及び水道管の洗浄を行うための水道管洗浄装置を得ることを目的としたものである。
【課題を解決するための手段】
【０００５】
上記の目的を達成するためこの発明は、給水口１３を有した水タンク１とコンプレッサー２と水タンク１よりポンプ１０を介して供給される水とコンプレッサー２より供給される空気とを混合して渦巻状気泡水を得ることができる混合機５に開閉弁３を介して開閉する気泡水吐出口４を設けた洗浄機体１９を具備し、次にメーター器１１と連結した上水管２０の止水栓７を閉じ、数個の蛇口８，８，・・・と連結した上水配管６よりメーター器１１を外すと共に該メーター器１１と給水口１３とを給水ホース１８で連結し、次に混合機５で形成した渦巻状気泡水の気泡水吐出口４と数個の蛇口８，８，・・・と連結した上水配管６とをホース９て連結し、次に止水栓７を開き、水タンク１に給水して水タンク１を満水とし、ポンプ１０とコンプレッサー２とを作動して水タンク１よりポンプ１０を介して供給される水とコンプレッサー２より供給される空気とを混合機５を介して形成された渦巻状気泡水を上水配管６に供給すると共に該渦巻状気泡水は電磁弁１４を介して供給・停止を設定した時間帯で繰り返し、更に上水配管６に取付けた数個の蛇口８，８，・・・は順次開いて汚損水の排出させ、次に止水栓７を閉じ、給水ホース１８とホース９を外し、メーター器１１と上水配管６とを連結したものである。
【０００６】
又、給水口１３を有した水タンク１とポンプ１０とコンプレッサー２と水タンク１よりポンプ１０の作動で供給される水とコンプレッサー２より供給される空気とを混合して渦巻状気泡水を得ることができると共に弁体３を介して開閉する気泡水吐出口４を有した混合機５とを具備し、更に混合機５とコンプレッサー２との間にコンプレッサー２より供給される空気が混合機５に供給される電磁弁体１４を介在すると共に該電磁弁体１４には所望時間内に所望時間のエアー注入及びエアー停止が断続して行われるようにした作動時間を設定する作動時間ハンドル体１５とエアー注入時間作動ハンドル体１６とエアー停止時間作動ハンドル体１７を設けて洗浄機体１９を形成し、又更に給水口１３とメーター器１１とを連結する給水ホース１８及び気泡水吐出口４と上水配管６とを連結するホース９を具備したものである。
【発明の効果】
【０００７】
この発明は以上のような構成であり、給水口１３を有した水タンク１とコンプレッサー２と水タンク１よりポンプ１０を介して供給される水とコンプレッサー２より供給される空気とを混合して渦巻状気泡水を得ることができる混合機５に開閉弁３を介して開閉する気泡水吐出口４を設けた洗浄機体１９を具備し、次にメーター器１１と連結した上水管２０の止水栓７を閉じ、数個の蛇口８，８，・・・と連結した上水配管６よりメーター器１１を外すと共に該メーター器１１と給水口１３とを給水ホース１８で連結し、次に混合機５で形成した渦巻状気泡水の気泡水吐出口４と数個の蛇口８，８，・・・と連結した上水配管６とをホース９て連結し、次に止水栓７を開き、水タンク１に給水して水タンク１を満水とし、ポンプ１０とコンプレッサー２とを作動して水タンク１よりポンプ１０を介して供給される水とコンプレッサー２より供給される空気とを混合機５を介して形成された渦巻状気泡水を上水配管６に供給すると共に該渦巻状気泡水は電磁弁１４を介して供給・停止を設定した時間帯（例えば運転時間２０分・エアー注入時間４秒・エアー停止時間４秒）で繰り返し上水配管６に付着しているさびや水あかを除去するものであり、更に上水配管６に取付けた数個の蛇口８，８，・・・は順次開いて汚損水の排出させ、次に止水栓７を閉じ、給水ホース１８とホース９を外し、メーター器１１と上水配管６とを連結したもので極めて簡単な手段で上水配管６内の洗浄を行うことができ、上水配管６内を衛生的で清潔に保持することができるものである。
【０００８】
又、給水口１３を有した水タンク１とポンプ１０とコンプレッサー２と水タンク１よりポンプ１０の作動で供給される水とコンプレッサー２より供給される空気とを混合して渦巻状気泡水を得ることができると共に弁体３を介して開閉する気泡水吐出口４を有した混合機５とを具備し、更に混合機５とコンプレッサー２との間にコンプレッサー２より供給される空気が混合機５に供給される電磁弁体１４を介在すると共に該電磁弁体１４には所望時間内に所望時間のエアー注入及びエアー停止が断続して行われるようにした作動時間を設定する作動時間ハンドル体１５とエアー注入時間作動ハンドル体１６とエアー停止時間作動ハンドル体１７を設けて洗浄機体１９を形成したことで水及び空気が混合した渦巻状気泡水が上水配管６内の内側壁面を回ると共に渦巻状気泡水は断続的に上水配管６内の内側壁面に衝撃を与えて上水配管６に付着しているさびや水あかを除去するものであり、又更に洗浄機体１９は移動が容易であると共に給水口１３とメーター器１１とを連結する給水ホース１８及び気泡水吐出口４と上水配管６とを連結するホース９を具備したことで極めて簡単な装置で洗浄機体１９への水の供給と洗浄機体１９からの上水配管６内への渦巻状気泡水の吐き出しが簡便で上水配管６内の洗浄を容易簡便に行うことができるとともに複雑な水道管洗浄装置を必要とせず、水道管洗浄装置を安価に提供できるものである。
【０００９】
以上のようにこの発明は極めて簡単な手段で極めて簡単な手段で一戸建て住宅又は集合住宅或いはマンションの水道管の洗浄を行うための使用便利で極めて使い勝手が良く好都合であると共に装置が複雑でなく簡便であり、安価に提供することができると共に混合機５で形成された渦巻状気泡水は電磁弁体１４の作動で断続的に上水配管６内の内側壁面に衝撃を与えて上水配管６に付着しているさびや水あかを除去を効率良く行うことができ、又更に薬品等を使用しないために衛生上支障を来すようなことがなく極めて好適である等の幾多の産業的作用効果を奏するものである。
【発明を実施するための最良の形態】
【００１０】
給水口１３を有した水タンク１とコンプレッサー２と水タンク１よりポンプ１０を介して供給される水とコンプレッサー２より供給される空気とを混合して渦巻状気泡水を得ることができる混合機５に開閉弁３を介して開閉する気泡水吐出口４を設けた洗浄機体１９を具備し、次にメーター器１１と連結した上水管２０の止水栓７を閉じ、数個の蛇口８，８，・・・と連結した上水配管６よりメーター器１１を外すと共に該メーター器１１と給水口１３とを給水ホース１８で連結し、次に混合機５で形成した渦巻状気泡水の気泡水吐出口４と数個の蛇口８，８，・・・と連結した上水配管６とをホース９て連結し、次に止水栓７を開き、水タンク１に給水して水タンク１を満水とし、ポンプ１０とコンプレッサー２とを作動して水タンク１よりポンプ１０を介して供給される水とコンプレッサー２より供給される空気とを混合機５を介して形成された渦巻状気泡水を上水配管６に供給すると共に該渦巻状気泡水は電磁弁１４を介して供給・停止を設定した時間帯で繰り返し上水配管６に付着しているさびや水あかを除去するものであり、更に上水配管６に取付けた数個の蛇口８，８，・・・は順次開いて汚損水の排出させ、次に止水栓７を閉じ、給水ホース１８とホース９を外し、メーター器１１と上水配管６とを連結したものである。
【００１１】
又、給水口１３を有した水タンク１とポンプ１０とコンプレッサー２と水タンク１よりポンプ１０の作動で供給される水とコンプレッサー２より供給される空気とを混合して渦巻状気泡水を得ることができると共に弁体３を介して開閉する気泡水吐出口４を有した混合機５とを具備し、更に混合機５とコンプレッサー２との間にコンプレッサー２より供給される空気が混合機５に供給される電磁弁体１４を介在すると共に該電磁弁体１４には所望時間内に所望時間のエアー注入及びエアー停止が断続して行われるようにした作動時間を設定する作動時間ハンドル体１５とエアー注入時間作動ハンドル体１６とエアー停止時間作動ハンドル体１７を設けて洗浄機体１９を形成し、又更に給水口１３とメーター器１１とを連結する給水ホース１８及び気泡水吐出口４と上水配管６とを連結するホース９を具備したものである。
【００１２】
よって、上水配管６の内壁に蓄積された赤錆を極めて簡便な手段で、又極めて簡単な装置で剥離して蛇口８より汚損水を排出すると共に上水配管６内を衛生的に保持し、更に渦巻状気泡水を上水配管６内に電磁弁体１４を介して断続的に流入するので上水配管６の内壁に渦巻状気泡水で断続的（例えば運転時間２０分・エアー注入時間４秒・エアー停止時間４秒）に繰り返し衝撃を与えて赤錆の剥離を効果的に行うことができるものである。
【実施例１】
【００１３】
本発明の水道管洗浄方法に於ける実施例１において説明するに、一戸建て住宅又はマンション等では図１に図示したように止水栓７、メーター器１１、上水配管６を介して風呂１２、水洗トイレ２１、湯沸器２２、数個の蛇口８，８，・・・に給水されている。
【００１４】
そこで、上水配管６の洗浄に際しては図２に図示したようにメーター器１１と上水配管６を外し、メーター器１１と洗浄機体１９に備えた給水口１３とを給水ホース１８で連結し、又洗浄機体１９に備えた気泡水吐出口４と上水配管６とをホース９で連結するものである。
【００１５】
又、湯沸器２２の内部が上水配管６より剥離した水あか等で損傷する恐れがあるので、湯沸器２２の元栓は閉じておくものである。
【００１６】
よつて、給水口１３を有した水タンク１とコンプレッサー２と水タンク１よりポンプ１０を介して供給される水とコンプレッサー２より供給される空気とを混合して渦巻状気泡水を得ることができる混合機５に開閉弁３を介して開閉する気泡水吐出口４を設けた洗浄機体１９で洗浄操作を行うものであるが、止水栓７を開き、水タンク１に給水して水タンク１を満水とし、ポンプ１０とコンプレッサー２とを作動して水タンク１よりポンプ１０を介して供給される水とコンプレッサー２より供給される空気とを混合機５を介して形成された渦巻状気泡水を上水配管６に供給すると共に該渦巻状気泡水は電磁弁１４を介して供給・停止を設定した時間帯で繰り返し、更に上水配管６に取付けた数個の蛇口８，８，・・・は順次開いて汚損水の排出させ、次に止水栓７を閉じ、給水ホース１８とホース９を外し、メーター器１１と上水配管６とを連結して洗浄操作が終了するものである。
【実施例２】
【００１７】
本発明の水道管洗浄装置に於ける実施例２において説明するに、一戸建て住宅又はマンション等では図１に図示したように止水栓７、メーター器１１、上水配管６を介して風呂１２、水洗トイレ２１、湯沸器２２、数個の蛇口８，８，・・・に給水されている。
【００１８】
そこで、上水配管６の洗浄に際しては図２に図示したようにメーター器１１と上水配管６を外し、メーター器１１と洗浄機体１９に備えた給水口１３とを給水ホース１８で連結し、又洗浄機体１９に備えた気泡水吐出口４と上水配管６とをホース９で連結するものである。
【００１９】
又、湯沸器２２の内部が上水配管６より剥離した水あか等で損傷する恐れがあるので、湯沸器２２の元栓は閉じておくものである。
【００２０】
又、給水口１３を有した水タンク１とポンプ１０とコンプレッサー２と水タンク１よりポンプ１０の作動で供給される水とコンプレッサー２より供給される空気とを混合して渦巻状気泡水を得ることができると共に弁体３を介して開閉する気泡水吐出口４を主パイプ２８を介して連結した混合機５とを具備したものであるが、水タンク１の給水口１３には給水栓２３を設けて満水時には自動的に給水が停止されるようにしたものである。
【００２１】
又、水タンク１よりポンプ１０の作動で供給される水とコンプレッサー２より供給される空気とを混合して渦巻状気泡水を得ることができる混合機５は、図８に図示したように機体３２の一方にポンプ１０の作動で供給される入水口部３３と他方に気泡水吐出口４と連結した気泡水出口形成部３４を有すると共にコンプレッサー２より供給される空気を一方の空気供給口３５より入れて螺旋状旋回部３６を介し螺旋状に旋回して気泡水出口形成部３４に送り、気泡水出口形成部３４で渦巻状気泡水を得ることができるように形成したものである。
【００２２】
又、水タンク１の水はポンプ１０を介して移送されるものであるが、第１ポンプ１０ａと第２ポンプ１０ｂの２台を備えて水圧を加減するもので、上水配管６内の汚損の状態によっては２台同時に第１ポンプスイッチ２４，第２ポンプスイッチ２５を作動し、強力な圧力の渦巻状気泡水を移送するようにしたものであるが、ポンプ１０の運転始めにおいてポンプ１０内に空気が存在していると水タンク１の水の移送力が十分に行われないので気泡水吐出口４の弁体３は閉じ、ポンプ１０よりの移送水を水タンク１に戻すバイパスパイプ２６に備えたバイパス弁２７を開き、ポンプ１０よりのポンプ１０内の空気が存在する水を水タンク１に戻し、ポンプ１０を介して水が混合機５に確実に移送されるようになった後にバイパス弁２７を閉じるものである。
【００２３】
又、混合機５とコンプレッサー２との間にコンプレッサー２より供給される空気が混合機５に供給される電磁弁体１４を介在すると共に該電磁弁体１４には所望時間内に所望時間のエアー注入及びエアー停止（例えば運転時間２０分・エアー注入時間４秒・エアー停止時間４秒）が断続して行われるようにした作動時間を設定する作動時間ハンドル体１５とエアー注入時間作動ハンドル体１６とエアー停止時間作動ハンドル体１７を設けたものである。
【００２４】
又、洗浄機体１９は給水口１３を有した水タンク１とポンプ１０とコンプレッサー２と水タンク１よりポンプ１０の作動で供給される水とコンプレッサー２より供給される空気とを混合して渦巻状気泡水を得ることができると共に弁体３を介して開閉する気泡水吐出口４を主パイプ２８を介して連結した混合機５とを具備すると共にポンプ１０よりの移送水を水タンク１に戻すバイパスパイプ２６にバイパス弁２７を備え、更に混合機５とコンプレッサー２との間にコンプレッサー２より供給される空気が混合機５に供給される電磁弁体１４を介在すると共に該電磁弁体１４には所望時間内に所望時間のエアー注入及びエアー停止が断続して行われるようにした作動時間を設定する作動時間ハンドル体１５とエアー注入時間作動ハンドル体１６とエアー停止時間作動ハンドル体１７を設けて形成したものであるが、又更に洗浄機体１９にはタンクゲージ窓２９，内部点検窓蓋３０、持上杆３１を備えたものである。
【図面の簡単な説明】
【００２５】
【図１】水道における上水配管の配管状態を示した斜視図である。
【図２】この発明の実施状態を示した斜視図である。
【図３】洗浄機体の正面図である。
【図４】洗浄機体の側面図である。
【図５】洗浄機体の背面図である。
【図６】洗浄機体の上面図である。
【図７】この発明の概念図である。
【図８】混合機の断面図である。
【符号の説明】
【００２６】
１  水タンク
２  コンプレッサー
３  開閉弁
４  気泡水吐出口
５  混合機
６  上水配管
７  止水栓
８  蛇口
９  ホース
１０  ポンプ
１０ａ  第１ポンプ
１０ｂ  第２ポンプ
１１  メーター器
１２  風呂
１３  給水口
１４  電磁弁体
１５  作動時間ハンドル体
１６  エアー注入時間作動ハンドル体
１７  エアー停止時間作動ハンドル体
１８  給水ホース
１９  洗浄機体
２０  上水管
２１  水洗トイレ
２２  湯沸器
２３  給水栓
２４  第１ポンプスイッチ
２５  第２ポンプスイッチ
２６  バイパスパイプ
２７  バイパス弁
２８  主パイプ
２９  タンクゲージ窓
３０  内部点検窓蓋
３１  持上杆
３２  機体
３３  入水口部
３４  気泡水出口形成部
３５  空気供給口
３６  螺旋状旋回部
【図１】
2006015285.tif 000003
【図２】
2006015285.tif 000004
【図３】
2006015285.tif 000005
【図４】
2006015285.tif 000006
【図５】
2006015285.tif 000007
【図６】
2006015285.tif 000008
【図７】
2006015285.tif 000009
【図８】
2006015285.tif 000010